(57)【要約】【課題】部品点数の削減、組立作業の容易化を実現できる電子機器の防水構造を提供すること。【解決手段】コードレス電話１の防水構造であって、第１のケース１０と、第１のケース１０に嵌合されるラバーキー２０と、第１のケース１０と反対側においてラバーキー２０を保持するプリント基板３０と、プリント基板３０の側から第１のケース１０に係合される第２のケース４０と、を備え、ラバーキー２０がその外周に設けられた被狭持部２１を有し、第１のケース１０及び第２のケース４０が係合されたとき、被狭持部２１がそれらの間に水密に挟まれる。【選択図】図５
2016154066.tif 000002
【特許請求の範囲】
【請求項１】
電子機器の防水構造であって、
第１のケースと、
前記第１のケースに嵌合されるラバーキーと、
前記第１のケースと反対側において前記ラバーキーを保持するプリント基板と、
前記プリント基板の側から前記第１のケースに係合される第２のケースと、を備え、
前記ラバーキーがその外周に設けられた被狭持部を有し、前記第１のケース及び前記第２のケースが係合されたとき、前記被狭持部がそれらの間に水密に挟まれる
ことを特徴とする電子機器の防水構造。
【請求項２】
前記被狭持部が、前記ラバーキーの外周から立設して前記ラバーキーの位置決めをする当接部を介して設けられている
ことを特徴とする請求項１に記載の電子機器の防水構造。
【請求項３】
前記被狭持部が、前記第１のケース及び前記第２のケースが係合されたとき、係合の圧力により潰れるように空洞部を有する
ことを特徴とする請求項１又は２に記載の電子機器の防水構造。
【請求項４】
前記第１のケース、前記ラバーキー、前記プリント基板及び前記第２のケースが、この順に共締めされる
ことを特徴とする請求項１から３のいずれか１項に記載の電子機器の防水構造。
【発明の詳細な説明】
【技術分野】
【０００１】
本発明は、電子機器の防水構造に関する。特に、複数のケースが係合された筐体を有する電子機器の防水構造に関する。
【背景技術】
【０００２】
複数のケースが係合された筐体を有する電子機器の防水構造として、一方のケースの他方のケースが係合する位置に溝部を形成し、細長いパッキンを溝部に圧入した後、パッキンを介して二つのケースを係合する電子機器の防水構造が知られている。（例えば、特許文献１参照）。これに対し、部品点数の削減、組立作業の容易化をより一層実現できる技術が求められている。
【先行技術文献】
【特許文献】
【０００３】
【特許文献１】特開平２０１２−７６９７号公報
【発明の概要】
【発明が解決しようとする課題】
【０００４】
本発明は、部品点数の削減、組立作業の容易化を実現できる電子機器の防水構造を提供する。
【課題を解決するための手段】
【０００５】
（１）本発明に係る態様は、電子機器の防水構造であって、第１のケースと、第１のケースに嵌合されるラバーキーと、第１のケースと反対側においてラバーキーを保持するプリント基板と、プリント基板の側から第１のケースに係合される第２のケースと、を備え、ラバーキーがその外周に設けられた被狭持部を有し、第１のケース及び第２のケースが係合されたとき、被狭持部がそれらの間に水密に挟まれる電子機器の防水構造を提供する。
（２）上記（１）に記載の電子機器の防水構造において、被狭持部が、ラバーキーの外周から立設してラバーキーの位置決めをする当接部を介して設けられてもよい。
（３）上記（１）又は（２）に記載の電子機器の防水構造において、被狭持部が、第１のケース及び第２のケースが係合されたとき、係合の圧力により潰れるように空洞部を有してもよい。
（４）上記（１）から（３）に記載の電子機器の防水構造において、第１のケース、ラバーキー、プリント基板及び第２のケースが、この順に共締めされてもよい。
【発明の効果】
【０００６】
本発明によれば、部品点数の削減、組立作業の容易化を実現できる電子機器の防水構造を提供できる。
【図面の簡単な説明】
【０００７】
【図１】本発明の第１実施形態に係る電子機器を正面側から示す斜視図である。
【図２】電子機器を示す正面図である。
【図３】電子機器を背面側から示す分解斜視図である。
【図４】ラバーキーを正面側から示す斜視図である。
【図５】図２におけるＡ−Ａ断面図であって、背面側を上として示す図である。
【図６】図５における被挟持部付近Ｂの拡大図である。
【図７】本発明の第２実施形態に係る電子機器の第１実施形態の図５に相当する断面図である。
【図８】図７における被挟持部付近Ｃの拡大図である。
【発明を実施するための形態】
【０００８】
本発明の実施形態に係る電子機器の防水構造は、電子機器の一例であるコードレス電話１の防水構造であって、第１のケース１０と、第１のケース１０に嵌合されるラバーキー２０と、第１のケース１０と反対側においてラバーキー２０を保持するプリント基板３０と、プリント基板３０の側から第１のケース１０に係合される第２のケース４０と、を備え、ラバーキー２０がその外周に設けられた被狭持部２１を有し、第１のケース１０及び第２のケース４０が係合されたとき、被狭持部２１がそれらの間に水密に挟まれるコードレス電話１の防水構造である。
【０００９】
以下、コードレス電話１の防水構造を、添付図面を参照して詳細に説明する。実施形態では、電子機器の一例としてコードレス電話１の説明をするがこれらに限らない。例えば、電子機器の例としては、リモコン装置、携帯電話等が挙げられる。
【００１０】
（第１実施形態）
以下に第１実施形態に係るコードレス電話１について詳しく述べる。図１及び図２において、コードレス電話１の外形状は、略直方体形状である。コードレス電話１の正面側の第１のケース１０の正面には、表示窓１１、音声出力部１２、音声入力部１３、正面視において矩形状の複数の操作ボタン２２及び円形の操作ボタン２３が配置されている。表示窓１１及び音声出力部１２は、操作ボタン２２及び操作ボタン２３を挟んで音声入力部１３と反対側に配置されている。
【００１１】
表示窓１１は、各種情報を表示する。また、操作ボタン２２によって、数字や文字の入力、機能の設定操作等を行い、操作ボタン２３によって、各種操作における決定や上下左右方向のスクロール等を行う。コードレス電話１の筐体は、正面側の第１のケース１０と反対側の第２のケース４０とのそれぞれの開口側の壁の外縁が係合することによって構成されている。
【００１２】
図３において、第１のケース１０、ラバーキー２０、プリント基板３０及び第２のケース４０が、この順に共締めされる。より具体的には、第１のケース１０、ラバーキー２０、プリント基板３０及び第２のケース４０は、ねじ５０を、第２のケース４０に形成された孔４１、プリント基板３０に形成された孔３１、ラバーキー２０に形成された孔２４に通し、第１のケース１０に形成されたねじ受け部１４にねじ込むことにより共締めされている。
【００１３】
以下に第１のケース１０について詳しく述べる。図３において、第１のケース１０には、複数の操作ボタン２２及び操作ボタン２３がそれぞれ通される孔１５及び孔１６が形成されている。また、孔１５及び孔１６を取り囲むように、壁１７が第１のケース１０の底面からラバーキー２０に向かって立設されている。
【００１４】
第１のケース１０は、例えば、成型により合成樹脂で形成できる。ここで、表示窓１１は、透過率の高い合成樹脂で形成されている。表示窓１１は、第１のケース１０と一体で形成してもよいし、表示窓１１を別体で形成し、接着又は溶着によって第１のケース１０と一体化してもよい。
【００１５】
以下にラバーキー２０について詳しく述べる。図３及び図４において、被狭持部２１が、ラバーキー２０の外周から立設してラバーキー２０の位置決めをする当接部２５を介して設けられている。被狭持部２１は、ラバーキー２０外周から第１のケース１０と第２のケース４０とに挟まれる位置に向かって設けられている。
【００１６】
また、図３及び図４において、ラバーキー２０は、図１及び図２に示した複数の操作ボタン２２及び操作ボタン２３を備えている。複数の操作ボタン２２及び操作ボタン２３は、孔１５及び孔１６にそれぞれ通され、図１及び図２に示した第１のケース１０の正面に突出している。また、複数の操作ボタン２２及び操作ボタン２３のプリント基板３０側には、突起２２０及び突起２３０がそれぞれ形成されている。
【００１７】
図４において、ラバーキー２０は、リブ２６を備えている。リブ２６は、複数の操作ボタン２２を取り囲んで第１のケース１０に向かって立設して形成されている。
【００１８】
ラバーキー２０の材質は、室温でゴム弾性を有するものがよく、例えば、シリコーンゴムを用いることができる。なお、シリコーンゴムのほかに、ポリエステル系エラストマ、スチレン系エラストマ、オレフィン系エラストマ等を用いてもよい。
【００１９】
以下にプリント基板３０について詳しく述べる。図３において、プリント基板３０には、表示体であるＬＣＤ３２（Ｌｉｑｕｉｄ  Ｃｒｙｓｔａｌ  Ｄｉｓｐｌａｙ）が、第１のケース１０の表示窓１１に向かって設けられている。ＬＣＤ３２は、第１のケース１０及び第２のケース４０が係合した際に、ラバーキー２０に押さえられる。ＬＣＤ３２は、ラバーキー２０がクッションとなって破損が抑えられる。なお、表示体は、ＬＣＤ３２のほかに、有機ＥＬ（Ｅｌｅｃｔｒｏ  Ｌｕｍｉｎｅｓｃｅｎｃｅ）、無機ＥＬであってもよい。
【００２０】
プリント基板３０のラバーキー２０側には、ラバーキー２０の突起２２０及び突起２３０に対応した位置に、図示しないタクトキー、カーボン接点等が設けられている。操作ボタン２２又は操作ボタン２３が押さえられることにより、突起２２０又は突起２３０が対応するタクトキーを押したり、対応するカーボン接点等が作動したりする。なお、カーボン接点を設けた場合、突起２２０の先端には、例えば、導電性の塗料が塗布される。
【００２１】
図５及び図６において、第１のケース１０及び第２のケース４０は、それぞれの外縁を合わせて係合することによって、ラバーキー２０及びプリント基板３０を収める筐体を形成する。プリント基板３０は、ラバーキー２０に接して嵌め込まれ、ラバーキー２０を保持している。ラバーキー２０の突起２２０及び突起２３０は、プリント基板３０を保持するラバーキー２０の本体２７よりプリント基板３０から後退した位置に形成されている。従って、プリント基板３０と突起２２０及び突起２３０の間には、隙間が形成されている。
【００２２】
一方、第２のケース４０の底面からは、プリント基板３０の押さえ部４２が立設して設けられている。第１のケース１０及び第２のケース４０が係合した際に、押さえ部４２がラバーキー２０の第２のケース４０側からプリント基板３０に当接する。従って、複数の操作ボタン２２又は操作ボタン２３を押した際に、プリント基板３０とラバーキー本体２７とが当接した状態で、突起２２０又は突起２３０が、プリント基板３０に設けられた対応するタクトキーを押し、又は対応するカーボン接点等と接触する。一方、複数の操作ボタン２２又は操作ボタン２３を押すのをやめると、ラバーキー２０の弾性により、突起２２０、突起２３０は、元の位置に戻る。
【００２３】
以下に、コードレス電話１の防水構造について詳しく述べる。図５及び図６において、ラバーキー２０は、当接部２５が第１のケース１０の内壁に当接して嵌合され、位置決めされる。また、ラバーキー２０のリブ２６も第１のケース１０の孔１５及び孔１６の周りに設けられた壁１７と第１のケース１０の内壁との間に挿入され、ラバーキー２０が位置決めされる。これらの位置決めにより、第１のケース１０にラバーキー２０を容易に組み込むことができ、ラバーキー２０の被狭持部２１が第１のケース１０と第２のケース４０とが係合する位置に容易に配置される。
【００２４】
以下に、コードレス電話１の防水構造についてより詳しく述べる。図５及び図６において、被狭持部２１は、第１のケース１０及び第２のケース４０が係合されたとき、係合の圧力により潰れるように空洞部２１０を有している。
【００２５】
当接部２５を介して設けられた被狭持部２１は、第１のケース１０の外縁に沿って設けられた段差１００に配置される。第２のケース４０が係合していない状態では、被狭持部２１は、第１のケース１０の外縁より、第２のケース４０に向かって突出している（図６中に二点鎖線で示した）。
【００２６】
一方、第１のケース１０及び第２のケース４０が係合されたとき、被狭持部２１が、係合の圧力により潰れる。このとき、被狭持部２１に、空洞部２１０が形成されているので、空洞部２１０が潰れることにより、被狭持部２１がより潰れやすい。弾性を有する被狭持部２１が潰れることにより、被狭持部２１が第１のケース１０及び第２のケース４０の間に水密に挟まれる。なお、被狭持部２１が、係合の圧力により潰れやすい弾性を有する材質であれば、空洞部２１０は形成されていなくてもよい。
【００２７】
本実施形態に係るコードレス電話１の防水構造によれば、パッキンに相当する被狭持部２１がラバーキー２０と一体に形成されている。また、細長いパッキンをケースの溝に圧入するのは手間がかかり、正しく圧入されない場合もあり組立作業が困難であるのに対し、ラバーキー２０を第１のケース１０に組み込むだけで、被狭持部２１が第１のケース１０と第２のケース４０との間に容易に配置される。従って、部品点数の削減、組立作業の容易化を実現できるコードレス電話１の防水構造を提供できる。
【００２８】
（第２実施形態）
以下に、本実施形態のコードレス電話１Ａの防水構造を、添付図面を参照して詳細に説明する。本実施形態のコードレス電話１Ａの防水構造は、第１実施形態のコードレス電話１と比較して、ラバーキー２０、第１のケース１０及び第２のケース４０の形状が異なる。
【００２９】
図７及び図８において、第１実施形態とは、ラバーキー２０Ａの被狭持部２１が、第１実施形態で示した当接部２５を介さずに、ラバーキー２０Ａの外周から直接設けられている点が異なる。また、第１のケース１０Ａと第２のケース４０Ａとの係合する位置が、ラバーキー２０Ａの外周から直接設けられている被狭持部２１の位置に合わせた位置になった点が異なる。より具体的には、第１のケース１０Ａは、第１のケース１０と比較して浅い略角形に形成され、第２のケース４０Ａは、第２のケース４０と比較して深い略角形に形成されている。ここで、第１実施形態と同じ構成要素には同じ符号を付して示している。
【００３０】
本実施形態に係るコードレス電話１の防水構造によれば、パッキンに相当する被狭持部２１がラバーキー２０Ａと一体に形成されている。ここで、ラバーキー２０Ａのリブ２６が、第１のケース１０Ａに設けられた壁１７と第１のケース１０Ａの内壁との間に挿入され、ラバーキー２０Ａが位置決めされる。ラバーキー２０Ａを第１のケース１０Ａに組み込むと、被狭持部２１が第１のケース１０Ａと第２のケース４０Ａとの間に容易に配置される。従って、部品点数の削減、組立作業の容易化を実現できるコードレス電話１の防水構造を提供できる。
【００３１】
以上述べた実施形態において、操作ボタンの形状は、実施形態に示した形状に限らず、正面視において楕円形、三角形等であってもよい。
【００３２】
また、第１のケースと第２のケースとの係合は、一方に設けられたツメが他方の係止部に係ることによる係合であってもよい。この場合、係合した際に、被狭持部が潰れるように、ツメと係止部を配置する。
【００３３】
実施形態で述べたコードレス電話１、１Ａの防水構造は、三以上のケースから構成される筐体を備えた電子機器にも適用可能である。
【符号の説明】
【００３４】
１、１Ａ  コードレス電話
１０、１０Ａ  第１のケース
１１  表示窓
１２  音声出力部
１３  音声入力部
１４  ねじ受け部
１５、１６  孔
１７  壁
２０、２０Ａ  ラバーキー
２１、  被狭持部
２２、２３  操作ボタン
２４  孔
２５  当接部
２６  リブ
２７  ラバーキー本体
３０  プリント基板
３１  孔
３２  ＬＣＤ
４０、４０Ａ  第２のケース
４１  孔
４２  押さえ部
５０  ねじ
１００  段差
２１０  空洞部
２２０、２３０  突起
【図１】
2016154066.tif 000003
【図２】
2016154066.tif 000004
【図３】
2016154066.tif 000005
【図４】
2016154066.tif 000006
【図５】
2016154066.tif 000007
【図６】
2016154066.tif 000008
【図７】
2016154066.tif 000009
【図８】
2016154066.tif 000010